(57)【要約】      （修正有）【課題】リーダーが、検査対象に設けたＩＤ発信手段から発信される目的のＩＤを、正確に特定できるようにすることである。【解決手段】シールド材５ａと、このシールド材５ａの側面であって、リーダーの読み取りエリアに対応する側面に装置ＩＤ発信手段６とを設け、シールド材５ａはこの装置ＩＤ発信手段６を設けた面とは反対側面からの電磁波を遮断するとともに、リーダーから発信された電磁波が反対側面に透過するのを阻止する機能を備えた。【選択図】図１
2006270350.tif 000002
【特許請求の範囲】
【請求項１】
シールド材と、このシールド材の側面であって、リーダーの読み取りエリアに対応する側面に装置ＩＤ発信手段とを設け、上記シールド材はこの装置ＩＤ発信手段を設けた面とは反対側面からの電磁波を遮断するとともに、リーダーから発信された電磁波が上記反対側面に透過するのを阻止する機能を備えたシールド装置。
【請求項２】
上記シールド材と上記装置ＩＤ発信手段との間に、絶縁体を介在させたことを特徴とする請求項１のシールド装置。
【請求項３】
上記シールド材の側面であって、上記装置ＩＤ発信手段を設けた面と反対側面には、接着手段を備えた請求項１または２に記載のシールド装置。
【請求項４】
上記シールド材は、リーダーと、このリーダーで読み取る検査対象に設けたＩＤ発信手段とを覆う空間を保持する形態にした請求項１または２に記載のシールド装置。
【発明の詳細な説明】
【技術分野】
【０００１】
この発明は、電磁波を遮断するためのシールド装置に関する。
【背景技術】
【０００２】
ＩＤを発信するＩＣタグやＩＣカードから、専用のリーダーがＩＤを受信して、ＩＤを特定することが行われている。
例えば、遊技場内に設置された遊技機に対する不正行為を防止するために、各制御基盤に組み込まれたＩＣタグから、ＩＤを受信して、その遊技機の正誤を確認するシステムがある。このようなシステムでは、特許文献１にあるように、個々のＩＣタグに対応するリーダーを個別に設けて、それぞれの読み取りエリア内に設けられたＩＣタグからＩＤを読み取らせるようにしていた。このような遊技場のシステムでは、制御基盤が取り替えられるなどの不正が行われた場合には、遊技機から発信されるべきＩＤが発信されないため、不正行為を発見できる。
【特許文献１】特開２０００−２８８２１８号公報
【発明の開示】
【発明が解決しようとする課題】
【０００３】
上記遊技場の不正監視システムでは、特定の遊技機に設けられたＩＣタグからのＩＤをリーダーが受信できたときに、その遊技機は正常状態であると判断し、受信できなければ不正が行われた異常状態と判断するようにしている。
しかし、リーダーは、自身の読み取りエリア内なら、どこから発信されるＩＤでも受信することができるので、特定のＩＤを受信できたということだけで、対応する遊技機が正常状態と判断してしまうことは危険である。
なぜなら、次のようなこともあるからである。例えば、遊技機の制御基盤を不正に取り替えて、偽の制御基盤には、ＩＤを発信しない偽のＩＣタグを取り付ける。そして、正規のＩＣタグを、上記リーダーの読み取りエリア内であって、制御基盤とは別の場所に置いた場合、リーダーは、正規のＩＤを受信することができるため、正常と判断してしまうことがあるからである。
【０００４】
上記のように、ＩＣタグが、正規の位置から取り外されてリーダーの読み取りエリア内に放置された場合と、制御基盤など、正規の位置に取り付けられていた場合とを区別する方法として、次のような方法が考えられる。
例えば、図６のように、遊技機１の背面にＩＤを発信するＩＣタグ２を取り付けるとともに、このＩＤを受信するためのリーダー３を備える。このリーダー３は、自身の読み取りエリアＥ１内に上記ＩＣタグ２が位置するように設けられている。
【０００５】
そして、上記リーダー３がＩＣタグ２から発信されるＩＤを受信していることを確認してから、電磁波を遮断するシールド部材４で、ＩＣタグ２を覆った場合には、リーダー３は、正規のＩＤを受信できなくなる。このように、シールド部材４で、覆ったことにより受信できなくなったＩＤは、ＩＣタグ２から発信されたものであると判断できる。
もしも、遊技機１の所定の位置から、正規のＩＣタグが取り外されていて、そこから発信されるＩＤをリーダーが受信していた場合には、上記シールド部材４でＩＣタグ２を覆っても、取り外されたＩＣタグはシールド部材４に覆われていないので、上記ＩＤを受信し続けることになり、シールド部材４で覆ったＩＣタグ２が、正規のタグでないことが分かる。
【０００６】
ただし、ＩＣタグ２をシールド部材４で覆ったときに、リーダー３が、ＩＤを受信できなくなったからといって、必ずしも、上記シールド部材４で覆われたＩＣタグ２が、覆われる前に所定のＩＤを発信していたと断定できない場合もある。
例えば、遊技機１に取り付けたＩＣタグ２は、ＩＤを発信しない偽物で、これとは別の場所に、正規のＩＣタグが放置されていて、シールド部材４を用いるまで、リーダー３が、上記正規のＩＣタグからのＩＤを受信している。そして、シールド部材４でＩＣタグ２を覆う際に、リーダー３の設置位置がずれたとする。この場合に、リーダー４の読み取りエリアがずれてので、上記正規のＩＣタグからのＩＤが受信できなくなってしまう。そのため、上記シールド部材４で覆ったＩＣタグ２が正規のタグであると間違ってしまうことがある。
【０００７】
この発明の目的は、リーダーが、検査対象に設けたＩＤ発信手段から発信される目的のＩＤを、正確に特定できるようにするシールド装置を提供することである。
【課題を解決するための手段】
【０００８】
第１の発明は、シールド材と、このシールド材の側面であって、リーダーの読み取りエリアに対応する側面に装置ＩＤ発信手段とを設け、上記シールド材はこの装置ＩＤ発信手段を設けた面とは反対側面からの電磁波を遮断するとともに、リーダーから発信された電磁波が上記反対側面に透過するのを阻止する機能を備えた点に特徴を有する。
第２の発明は、上記第１の発明を前提とし、上記シールド材と上記装置ＩＤ発信手段との間に、絶縁体を介在させた点に特徴を有する。
【０００９】
第３の発明は、上記第１または第２の発明を前提とし、上記シールド材の側面であって、上記装置ＩＤ発信手段を設けた面と反対側面には、接着手段を備えた点に特徴を有する。
第４の発明は、上記第１または第２の発明を前提とし、上記シールド材は、リーダーと、このリーダーで読み取る検査対象に設けたＩＤ発信手段とを覆う空間を保持する点に特徴を有する。
【発明の効果】
【００１０】
第１〜第４の発明によれば、リーダーが、検査対象に設けたＩＤ発信手段から発信される目的のＩＤを、正確に特定できるようになる。
また、検査対象側のＩＤ発信手段をこの発明のシールド装置で覆えば、リーダーが受信したＩＤの発信元を特定することもできる。
さらに、リーダーをこの発明のシールド装置で覆えば、リーダーが、外部のノイズを拾う心配がない。
【００１１】
第２の発明によれば、装置ＩＤ発信手段から発信された信号や、リーダーから発信された信号、検査対象に設けたＩＤ発信手段から発信される信号が、シールド装置の表面で反射しないようにできる。そのため、反射信号がリーダーにノイズとして受信されることがない。
第３の発明によれば、所定のＩＤ発信手段をシールド装置で覆う際に、簡単に取り付けられ、その状態を維持できるようになる。
第４の発明によれば、リーダーを確実に覆って、リーダーが外部信号を受信しないようにできる。
【発明を実施するための最良の形態】
【００１２】
図１、図２に、この発明の第１実施形態を示す。
この実施形態は、図６に示す従来例のシステムと同様に、遊技機１に取り付けたＩＣタグ２からリーダー３がＩＤを受信するシステムにおいて、この発明のシールド装置５を用いたものである。
【００１３】
シールド装置５は、図１の断面図のように、金属層５ａと絶縁層５ｂとからなる２層構造であり、絶縁層５ｂ側の面に、シールド装置５の装置ＩＤを発信する、この発明の装置ＩＤ発信手段であるＩＣタグ６を備えている。このＩＣタグ６は、シールド装置５のＩＤを記憶し、そのＩＤを無線で発信する機能を備えている。そして、このＩＣタグ６を、図２に示すように、ＩＤを受信するリーダー３側に向けて用いる。なお、上記ＩＣタグ６は、リーダー３からの問い合わせ信号に応答してＩＤを発信するようにしたものでもよいし、自発的にＩＤを発信するようにしたものでもよい。
【００１４】
また、上記シールド装置５の金属層５ａは、電磁波を遮断する機能を備えているため、例えば、金属層５ａ面側で発信された信号を絶縁層５ｂ側に透過させることがないし、絶縁層５ｂ面側で発信された信号を、金属層５ａ側に透過させることもない。この金属層５ａが、この発明のシールド材である。
さらに、上記絶縁層５ｂは、電磁波を反射させないので、絶縁層５ｂ側で発信された信号が、シールド装置５の絶縁層５ｂに到達しても反射することがない。また、リーダー３から、ＩＣタグに対して問い合わせ信号を発信した場合にも、それが反射することがない。そのため、ＩＣタグ６に対抗させて設けたリーダー３に、反射信号が入力されてノイズとなる心配がない。
【００１５】
このようなシールド装置５を用いて、遊技機１に取り付けられたＩＣタグ２が正しいＩＤを発信しているかどうかを確認する方法を説明する。
図２に示すように、遊技機１の背面などにＩＤを発信するＩＣタグ２を取り付けている。また、このＩＣタグ２に対向する位置にリーダー３を設け、ＩＣタグ２を覆わない状態で、正規のＩＤ、例えば、ＩＤｘを受信することを確認する。その後、遊技機１にシールド装置５を上記ＩＣタグ２を覆うように取り付けて、リーダー３がシールド装置５のＩＣタグ６が発信するＩＤｙを受信することを確認する。
【００１６】
リーダー３が、ＩＣタグ６のＩＤｙを受信していれば、リーダー３の読み取りエリアＥ１内にシールド装置５が位置していることを確認でき、この状態で、ＩＣタグ２のＩＤｘを受信していなければ、このシールド装置５で覆ったＩＣタグ２が、先にＩＤｘを発信していたと判断することができる。
この状態で、リーダー３が、ＩＤｘも受信した場合には、遊技機１に取り付けられているＩＣタグ２とは別のものが、ＩＤｘを発信していることが分かる。つまり、遊技機１とは別のところにＩＤｘを発信するＩＣタグが放置されていることがわかり、不正行為があったことを発見できる。
【００１７】
これに対し、リーダー３が、上記シールド装置５のＩＣタグ６から発信されるＩＤｙを受信しなかった場合、シールド装置５を遊技機１に取り付ける際に、リーダー３の位置をずらしてしまうなどしてリーダー３の読み取りエリアＥ１が移動してしまった可能性がある。このような場合には、ＩＣタグ２を覆った状態で、リーダー３がＩＣタグ６のＩＤｙを受信するようにリーダー３の位置を調整してから、シールド部材５を上記ＩＣタグ２からはずして、正規のＩＤｘを受信するかどうかを確認するようにする。
【００１８】
このように、上記シールド装置５を用いれば、リーダー３が受信したＩＤが、特定のＩＤ発信手段から発信されたものであるか否かを、正確に確認することができ、上記のように、遊技機１に取り付けたＩＣタグ２に適用すれば、遊技機１への不正行為の発見を、より正確にすることができる。
なお、上記シールド装置５の金属層５ａ側に接着手段を設けて、遊技機１の背面にシールド装置５を接着できるようにすることもできる。接着手段としては、粘着剤や、吸盤などが考えられる。また、シールド装置５をシート状に形成し、金属層５ａ側に接着剤を設ければ、シール状のシールド装置となり、表面に貼付してＩＣタグ２を簡単に覆うことができる。
【００１９】
図３，図４に示す第２実施形態は、ドーム状にし、両側に開口７ｃ，７ｄを備えたシールド装置７を、工場などの製品搬送ライン上に設けた例である。
搬送ラインは、両脇に設けた架台９，９の上に、シールド装置７を載せるとともに、架台９，９の間には、製品１１を搬送するベルトコンベア１０を備えている。各製品１１は、上記ベルトコンベア１０によって搬送され、シールド装置７の一方の開口７ｃからシールド装置７内に入り、他方の開口７ｄから外へ出て行く。
また、各製品１１には、製品ＩＤを発信するＩＣタグ１２ａ，１２ｂを取り付け、これらのＩＣタグ１２ａ，１２ｂから発信されるＩＤを受信するリーダー３を、上記シールド装置７内に設置している。
また、上記リーダー３にはパソコンなどのデータ処理手段を接続し、受信したＩＤをそのデータ処理手段に対して出力するようにしている。
【００２０】
上記シールド装置７は、図４の断面図のように、この発明のシールド材である金属層７ａと絶縁層７ｂとからなる２層構造であり、絶縁層７ｂ側の面に、シールド装置７の装置ＩＤを発信する、この発明の装置ＩＤ発信手段であるＩＣタグ８を備えている。このＩＣタグ８は、上記リーダー３の読み取りエリア内に位置し、発信したＩＤがリーダー３に受信されるようにしている。
【００２１】
そして、上記シールド装置７は、電磁波を遮断する機能を有するので、これに覆われたリーダー３は、シールド装置７の外部から発信される信号を受信することはできない。つまり、上記リーダー３の読み取りエリアは、シールド装置７内となる。そのため、製品１１に取り付けられたＩＣタグ１２ａ，１２ｂから発信されるＩＤは、その製品１１が上記シールド装置７で覆われている空間に入ったときにのみリーダー３に受信されるのである。言い換えれば、リーダー３は、検査対象であるＩＣタグ１２ａが、シールド装置７で覆われた空間内に入ったときにのみ、そこから発信されるＩＤを受信するということである。
【００２２】
このようなシステムにおいて、リーダー３がＩＤを受信したとき、そのＩＤに対応する製品がこのリーダー３の読み取りエリアに入った、すなわち、上記シールド装置７内に位置しているということなので、上記リーダー３に接続したデータ処理手段は、対応する製品１１が、上記シールド装置７の設置位置まで搬送されたと判断できる。
【００２３】
同様に、搬送ライン上の様々な位置にシールド装置７を設置し、その内部にリーダー３を設ければ、リーダー３に接続したデータ処理手段は、受信したＩＤに対応するＩＣタグを取り付けた製品がどの位置まで搬送されているのかを検出することもできる。
なお、シールド装置７の内側（絶縁層７ｂ側）には、シールド装置７のＩＤを発信するＩＣタグ８を備えているので、リーダー３が、このＩＣタグ８のＩＤを受信することを確認することによって、リーダー３の機能および設置位置が正常であることを確認してから、検査を行うことができる。
【００２４】
また、リーダー３がシールド装置７で覆われているので、シールド装置７の外部からのノイズを、リーダー３が拾ってしまう心配がない。上記のような搬送ライン上に、複数のリーダー３を設け、多数のＩＣタグが移動している状態でも、個々のリーダー３は、対応する位置に到達した検査対象からのＩＤのみを正確に受信できる。さらに、シールド装置７のリーダー３側には絶縁層７ｂを備えているため、リーダー３が反射信号をノイズとして受信してしまうことも防止できる。
【００２５】
図５に示す第３実施形態は、搬送ケース１３内に、それぞれ、ＩＣタグ１２ａ，１２ｂ，１２ｃ，１２ｄを取り付けた複数の製品１１とリーダー３とを入れて、図３に示す搬送ラインのベルトコンベア１０上に載せて搬送させる例である。上記ＩＣタグ１２ａ，１２ｂ，１２ｃ，１２ｄは、それぞれ、固有のＩＤを発信し、リーダー３はこれらのＩＤを受信する機能を備えている。
一方、上記搬送ラインの所定位置には、上記第２実施形態と同様にシールド装置７を設置する。ただし、この第３実施形態では、リーダー３を搬送ケース１３内に入れているので、シールド装置７内の架台９上には、リーダー３を設けていない。
【００２６】
上記リーダー３は、搬送ケース１３内で、自身と一緒に入れられている製品のＩＣタグ１２ａ，・・・から発信されるＩＤを受信しながら、ベルトコンベア１０で搬送される。ただし、この搬送過程では、図示しない他の搬送ケース内のリーダーからの問い合わせ信号や、ＩＣタグからのＩＤなどを一緒に受信することもある。
そして、この搬送ケース１３が、シールド装置７内に入ると、搬送ケース１３内のリーダー３は、上記シールド装置７の外側の信号を受信しなくなる。また、リーダー３は、シールド装置７の内側に備えたＩＣタグ８から発信されるＩＤも受信する。
【００２７】
このように、搬送ケース１３がシールド装置７内に入ったときには、リーダー３は、搬送ケース１３内のＩＣタグから発信されるＩＤと、シールド装置７のＩＣタグ８から発信されるＩＤとを受信する。
つまり、リーダー３が、上記ＩＣタグ８のＩＤとともに受信したＩＤは、そのリーダー３と共に搬送ケース１３内に入っているＩＣタグから発信されたＩＤである。従って、例えば、リーダー３が受信したＩＤを処理するデータ処理手段をリーダー３に連係させれば、このデータ処理手段は、リーダー３が受信したＩＤのうち、搬送ケース１３内に入っている製品のＩＤを正確に特定することができる。また、上記ＩＣタグ８のＩＤを検出することによって、搬送ケース１３内に入っている製品が、上記シールド装置７を設置した所定の位置に到達したことを検出することもできる。
【図面の簡単な説明】
【００２８】
【図１】第１実施形態のシールド装置の断面図である。
【図２】第１実施形態の使用状態を示す平面図である。
【図３】第２実施形態の使用状態を示す斜視図である。
【図４】図３のIV-IV線断面図である。
【図５】第３実施形態の搬送ケースの部分断面図である。
【図６】従来例の使用状態を示す平面図である。
【符号の説明】
【００２９】
５        シールド装置
５ａ      金属層
５ｂ      絶縁層
６        ＩＣタグ
７        シールド装置
７ａ      金属層
７ｂ      絶縁層
８        ＩＣタグ
【図１】
2006270350.tif 000003
【図２】
2006270350.tif 000004
【図３】
2006270350.tif 000005
【図４】
2006270350.tif 000006
【図５】
2006270350.tif 000007
【図６】
2006270350.tif 000008